(57)【要約】【課題】カラビナを用いた携行に好適な構造を有し、且つ、軽量化を実現できる消防用投光器を提供する。【解決手段】消防用投光器（１００）は、光源部（１０）と、光源部を収容する筐体（２０）と、筐体の上部に配置されユーザの手によって把持されるハンドル（３０）とを備える。平面視において、ハンドルの長手方向は、消防用投光器の前後方向に向いている。ハンドルには、少なくとも１つの貫通孔（３１）が形成されている。少なくとも１つの貫通孔は、消防用投光器の前後方向において、消防用投光器の重心と、ハンドルの後端との間に位置している。【選択図】図１０
2020080217.tif 000002
【特許請求の範囲】
【請求項１】
光源部と、
前記光源部を収容する筐体と、
前記筐体の上部に配置されユーザの手によって把持されるハンドルと、
を備えた消防用投光器であって、
平面視において、前記ハンドルの長手方向は、前記消防用投光器の前後方向に向いており、
前記ハンドルには、少なくとも１つの貫通孔が形成されており、
前記少なくとも１つの貫通孔は、前記消防用投光器の前後方向において、前記消防用投光器の重心と、前記ハンドルの後端との間に位置している、消防用投光器。
【請求項２】
前記少なくとも１つの貫通孔の個数は、複数である請求項１に記載の消防用投光器。
【請求項３】
前記少なくとも１つの貫通孔の個数は２である請求項２に記載の消防用投光器。
【請求項４】
前記少なくとも１つの貫通孔は、前記消防用投光器の前後方向において、前記消防用投光器の前端から前記消防用投光器の長さの２／３の範囲内に位置する第１貫通孔を含む請求項１から３のいずれかに記載の消防用投光器。
【請求項５】
前記少なくとも１つの貫通孔は、前記消防用投光器の前後方向において、前記消防用投光器の後端から前記消防用投光器の長さの１／３の範囲内に位置する第２貫通孔をさらに含む請求項４に記載の消防用投光器。
【請求項６】
前記少なくとも１つの貫通孔の中心軸は、前記消防用投光器の左右方向に向いている請求項１から５のいずれかに記載の消防用投光器。
【請求項７】
前記少なくとも１つの貫通孔の中心軸は、前記消防用投光器の上下方向に向いている請求項１から５のいずれかに記載の消防用投光器。
【請求項８】
前記少なくとも１つの貫通孔は、中心軸方向から見たときの形状が略円形である貫通孔を含む請求項１から７のいずれかに記載の消防用投光器。
【請求項９】
前記中心軸方向から見たときの形状が略円形である前記貫通孔の直径は、１４ｍｍ以上である請求項８に記載の消防用投光器。
【請求項１０】
前記少なくとも１つの貫通孔は、長孔である貫通孔を含む請求項１から９のいずれかに記載の消防用投光器。
【請求項１１】
長孔である前記貫通孔の短径は、１４ｍｍ以上である請求項１０に記載の消防用投光器。
【請求項１２】
前記少なくとも１つの貫通孔の中心軸方向に沿った前記ハンドルの厚さは、２４ｍｍ以下である請求項１から１１のいずれかに記載の消防用投光器。
【発明の詳細な説明】
【技術分野】
【０００１】
本発明は、投光器に関し、特に、消防用の投光器に関する。
【背景技術】
【０００２】
特許文献１には、消防活動や災害救助に用いられる消防用投光器が開示されている。特許文献１の投光器は、接続ケーブルを介して信号器（特許文献１では「電源装置」と呼ばれている）に接続される。信号器および投光器には、それぞれ信号スイッチが設けられている。信号スイッチを操作することにより、信号器から投光器に、または、投光器から信号器に、接続ケーブルを介して信号を送信することができる。さらに、信号器および投光器のそれぞれには、信号の送信に同期して点灯する表示灯が設けられている。このような構成により、信号器側と投光器側とで相互に異常を知らせ合うことができる。
【０００３】
また、特許文献１の投光器には、配光切換スイッチが設けられている。配光切換スイッチを操作することにより、光源であるランプの配光を切り換えることができる。必要に応じてランプの配光を切り換えることにより、作業性が向上する。
【０００４】
特許文献１の投光器では、投光器本体の上部にハンドルが取り付けられており、ユーザはこのハンドルを片手で把持することによって投光器を携行することができる。
【先行技術文献】
【特許文献】
【０００５】
【特許文献１】特開平１０−２６１３０５号公報
【発明の概要】
【発明が解決しようとする課題】
【０００６】
消防用の投光器には、これまでも軽量化のための種々の工夫がなされてきたが、いっそうの軽量化が要望されている。
【０００７】
また、消防活動や災害救助において、両手を使用した作業を行うときがある。その際、カラビナを利用して投光器をユーザの腰（より具体的には腰に巻かれた安全帯）に吊り下げて携行することがある。
【０００８】
しかしながら、例えば、特許文献１に開示されているような投光器のハンドルと投光器本体との間にカラビナを通した場合、カラビナが大きくすべって（ずれて）しまい、投光器が上下に振れて意図した方向に安定して光を照射することが難しく、人の顔を照らしてしまうことがある。その場合、手で照射方向を固定する必要があるので、作業性が悪化してしまう。このように、カラビナを用いて投光器を携行するための好適な構造が求められている。
【０００９】
本発明は、上記問題に鑑みてなされたものであり、その目的は、カラビナを用いた携行に好適な構造を有し、且つ、軽量化を実現できる消防用投光器を提供することにある。
【課題を解決するための手段】
【００１０】
本発明の実施形態による消防用投光器は、光源部と、前記光源部を収容する筐体と、前記筐体の上部に配置されユーザの手によって把持されるハンドルと、を備えた消防用投光器であって、平面視において、前記ハンドルの長手方向は、前記消防用投光器の前後方向に向いており、前記ハンドルには、少なくとも１つの貫通孔が形成されており、前記少なくとも１つの貫通孔は、前記消防用投光器の前後方向において、前記消防用投光器の重心と、前記ハンドルの後端との間に位置している。
【００１１】
ある実施形態において、前記少なくとも１つの貫通孔の個数は、複数である。
【００１２】
ある実施形態において、前記少なくとも１つの貫通孔の個数は２である。
【００１３】
ある実施形態において、前記少なくとも１つの貫通孔は、前記消防用投光器の前後方向において、前記消防用投光器の前端から前記消防用投光器の長さの２／３の範囲内に位置する第１貫通孔を含む。
【００１４】
ある実施形態において、前記少なくとも１つの貫通孔は、前記消防用投光器の前後方向において、前記消防用投光器の後端から前記消防用投光器の長さの１／３の範囲内に位置する第２貫通孔をさらに含む。
【００１５】
ある実施形態において、前記少なくとも１つの貫通孔の中心軸は、前記消防用投光器の左右方向に向いている。
【００１６】
ある実施形態において、前記少なくとも１つの貫通孔の中心軸は、前記消防用投光器の上下方向に向いている。
【００１７】
ある実施形態において、前記少なくとも１つの貫通孔は、中心軸方向から見たときの形状が略円形である貫通孔を含む。
【００１８】
ある実施形態において、前記中心軸方向から見たときの形状が略円形である前記貫通孔の直径は、１４ｍｍ以上である。
【００１９】
ある実施形態において、前記少なくとも１つの貫通孔は、長孔である貫通孔を含む。
【００２０】
ある実施形態において、長孔である前記貫通孔の短径は、１４ｍｍ以上である。
【００２１】
ある実施形態において、前記少なくとも１つの貫通孔の中心軸方向に沿った前記ハンドルの厚さは、２４ｍｍ以下である。
【００２２】
ある実施形態において、前記消防用投光器は、前記筐体の両側面の少なくとも一方に設けられた係止手段であって、ユーザの腰に巻かれた安全帯に前記筐体を係止する係止手段をさらに備え、前記係止手段は、前記消防用投光器の前後方向中央よりも前記消防用投光器の重心側に位置している。
【００２３】
ある実施形態において、前記筐体の前記少なくとも一方の側面は、左右方向内側に凹んだ曲面部分を含む。
【００２４】
ある実施形態において、前記係止手段は、前記筐体の両側面のそれぞれに設けられている。
【００２５】
ある実施形態において、前記筐体の前記少なくとも一方の側面は、切り欠き部を有し、前記係止手段は、前記切り欠き部によって規定される形状を有するクリップ部である。
【００２６】
ある実施形態において、前記筐体の前記切り欠き部は、前記光源部で生じる熱を放出するための放熱孔として機能する。
【００２７】
ある実施形態において、前記クリップ部は、下方に延びる第１舌片部を含む。
【００２８】
ある実施形態において、前記クリップ部は、上方に延びる第２舌片部をさらに含む。
【００２９】
ある実施形態において、前記第１舌片部と前記第２舌片部とは、互いに長さが異なる。
【００３０】
ある実施形態において、前記切り欠き部は、略Ｘ字状である。
【００３１】
ある実施形態において、前記投光器の重心は、前記消防用投光器の前後方向中央よりも前方に位置している。
【００３２】
ある実施形態において、前記筐体は、前記筐体の他の部分よりも左右方向の幅が広い幅広部を有し、前記幅広部は、前記消防用投光器の前後方向中央よりも前方に位置している。
【００３３】
ある実施形態において、前記消防用投光器は、前記筐体の両側面の少なくとも一方に設けられた係止手段であって、ユーザの腰に巻かれた安全帯に前記筐体を係止する係止手段をさらに備え、前記筐体は、左右方向の幅が相対的に広い幅広部と、左右方向の幅が相対的に狭い幅狭部とを有し、前記係止手段は、前記筐体の前記幅狭部に配置されている。
【００３４】
ある実施形態において、前記消防用投光器は、前記筐体の両側面の少なくとも一方に設けられたクリップ部であって、下方に延びる第１舌片部と、上方に延びる第２舌片部とを含むクリップ部をさらに備える。
【００３５】
ある実施形態において、前記第１舌片部と前記第２舌片部とは、互いに長さが異なる。
【００３６】
ある実施形態において、前記消防用投光器は、信号器に接続ケーブルを介して接続され、前記信号器に前記接続ケーブルを介して信号を送信する操作を受け付ける第１スイッチと、前記光源部の配光を切り換える操作を受け付ける第２スイッチと、をさらに備え、前記第１スイッチおよび前記第２スイッチは、前記ハンドルを把持した手の指が届く範囲内に配置されている。
【００３７】
ある実施形態では、前記筐体の長手方向において、前記第１スイッチおよび前記第２スイッチは、前記ハンドルの前方に位置している。
【００３８】
ある実施形態において、前記第１スイッチおよび前記第２スイッチは、実質的に前記ハンドルの軸線上に位置している。
【００３９】
ある実施形態において、前記消防用投光器は、前記信号器への信号の送信に応じて点灯する信号表示灯をさらに備え、前記信号表示灯は、前記第１スイッチおよび前記第２スイッチの周辺に配置されている。
【００４０】
ある実施形態では、前記筐体の長手方向において、前記信号表示灯は、前記ハンドルの前方に位置している。
【００４１】
ある実施形態では、前記筐体の長手方向において、前記信号表示灯が前記第１スイッチおよび前記第２スイッチよりも前方に位置する。
【００４２】
ある実施形態において、前記消防用投光器は、少なくとも２つの防水区画を有する。
【００４３】
ある実施形態において、前記少なくとも２つの防水区画のうちの１つの防水区画に、前記第１スイッチおよび前記第２スイッチの両方が配置されている。
【００４４】
ある実施形態において、前記消防用投光器は、外部電源から電力を供給される。
【００４５】
本発明の実施形態による消防用投光器では、ハンドルに少なくとも１つの貫通孔が形成されているので、貫通孔にカラビナを通すことによってカラビナを用いた携行が可能となる。本発明の実施形態によれば、カラビナを通すための部材を別途に筐体に取り付ける必要がないので、部品点数を少なくすることができ、投光器の軽量化を図ることができる。さらに、ハンドルに貫通孔が形成されていることにより、ハンドル自体が軽量化されるので、そのことにより投光器全体を軽量化する効果を得ることもできる。また、ハンドルに形成された貫通孔にカラビナを通した場合、ハンドルと筐体との間にカラビナを通した場合のようなカラビナのすべり（ずれ）を防止できるので、カラビナを用いた携行時の投光器の姿勢を安定させることができる。さらに、本発明の実施形態による消防用投光器では、ハンドルの貫通孔は、投光器の前後方向において、投光器の重心とハンドルの後端との間に位置している。つまり、ハンドルの貫通孔は、投光器の重心よりも後方に位置している。これにより、カラビナを用いた携行時に、光源部が斜め上を向いてしまうことを防止できる。光源部が斜め上を向くと、人の顔に光を照射してしまうおそれがある。このように、本発明の実施形態によれば、カラビナを用いた携行に好適な構造を有し、且つ、軽量化を実現できる消防用投光器が得られる。
【００４６】
ハンドルの貫通孔の個数が複数であると、カラビナを用いた携行の際の投光器の姿勢（傾き）を調整（選択）することができる。
【００４７】
製造の容易さの観点からは、ハンドルの貫通孔の個数は、２が好ましい。
【００４８】
光源部を水平方向に近い方向に向ける観点からは、ハンドルに形成された少なくとも１つの貫通孔は、なるべく投光器の重心に近い位置に配置された貫通孔を含んでいることが好ましく、具体的には、投光器の前後方向において投光器の前端から投光器の長さの２／３の範囲内に位置する第１貫通孔を含むことが好ましい。
【００４９】
携行時の投光器の姿勢の調整の幅を大きくする観点からは、ハンドルに形成された少なくとも１つの貫通孔は、投光器の前後方向において投光器の後端から投光器の長さの１／３の範囲内に位置する第２貫通孔をさらに含むことが好ましい。
【００５０】
少なくとも１つの貫通孔の中心軸は、投光器の左右方向に向いていてもよいし、投光器の上下方向に向いていてもよい。
【００５１】
少なくとも１つの貫通孔は、中心軸方向から見たときの形状が略円形である貫通孔を含んでいてもよい。
【００５２】
消防用途のカラビナの直径は例えば１０ｍｍであるので、貫通孔の直径が１４ｍｍ以上であると、貫通孔にカラビナを好適に通すことができる。
【００５３】
少なくとも１つの貫通孔が、長孔である貫通孔を含むことにより、ハンドルおよび投光器のいっそうの軽量化を図ることができる。
【００５４】
消防用途のカラビナの直径は例えば１０ｍｍであるので、長孔である貫通孔の短径は、１４ｍｍ以上であることが好ましい。
【００５５】
また、消防用途のカラビナでは、ゲート部の開口幅は例えば３４ｍｍ程度である。そのため、貫通孔の中心軸方向に沿ったハンドルの厚さは、２４ｍｍ以下であることが好ましい。
【発明の効果】
【００５６】
本発明の実施形態によると、カラビナを用いた携行に好適な構造を有し、且つ、軽量化を実現できる消防用投光器を提供することができる。
【図面の簡単な説明】
【００５７】
【図１】本発明の実施形態による消防用投光器１００を模式的に示す斜視図である。
【図２】投光器１００を模式的に示す正面図である。
【図３】投光器１００を模式的に示す側面図である。
【図４】投光器１００を模式的に示す上面図である。
【図５】投光器１００が備える光源部１０を模式的に示す斜視図である。
【図６】光源部１０を模式的に示す正面図である。
【図７】光源部１０を模式的に示す側面図である。
【図８】光源部１０を模式的に示す上面図である。
【図９】投光器１００に接続ケーブル１を介して接続される信号器２００を模式的に示す側面図である。
【図１０】投光器１００を模式的に示す側面図であり、投光器１００の重心の位置を鎖線ＣＧで示している。
【図１１】（ａ）は、カラビナ３００を模式的に示す平面図であり、（ｂ）および（ｃ）は、それぞれカラビナ３００を（ａ）中の方向Ｄ１およびＤ２から見た図である。
【図１２】投光器１００のハンドル３０の貫通孔３１にカラビナ３００を通した状態を示す図である。
【図１３】本発明の実施形態による他の消防用投光器１００Ａを模式的に示す斜視図である。
【図１４】投光器１００Ａを模式的に示す側面図である。
【図１５】投光器１００を模式的に示す上面図である。
【図１６】本発明の実施形態によるさらに他の消防用投光器１００Ｂを模式的に示す斜視図である。
【図１７】投光器１００Ｂを模式的に示す上面図である。
【図１８】投光器１００を模式的に示す側面図であり、投光器１００の前後方向中央の位置および投光器１００の重心の位置をそれぞれ鎖線ＣＰおよび鎖線ＣＧで示している。
【図１９】クリップ部２２によって筐体２０が安全帯ＳＢに係止されている状態を示す図である。
【図２０】投光器１００を模式的に示す側面図であり、筐体２０の側面のガイド部ＧＰにハッチングを付して示している。
【図２１】投光器１００を模式的に示す上面図であり、併せてユーザの腰ＷＡを模式的に示している。
【図２２】（ａ）、（ｂ）、（ｃ）および（ｄ）は、それぞれ係止手段として機能するアタッチメント部材７０を模式的に示す上面図、側面図、正面図および背面図である。
【図２３】投光器１００が有する防水区画の例を示す図である。
【発明を実施するための形態】
【００５８】
以下、図面を参照しながら本発明の実施形態を説明する。なお、本発明は以下の実施形態に限定されるものではない。
【００５９】
（実施形態１）
図１から図４を参照しながら、本実施形態における消防用投光器（以下では単に「投光器」と呼ぶ）１００を説明する。図１、図２、図３および図４は、それぞれ投光器１００を模式的に示す斜視図、正面図、側面図および上面図である。
【００６０】
図１から図４に示すように、投光器１００は、光源部１０、筐体２０およびハンドル３０を備える。また、投光器１００は、第１スイッチ４０、第２スイッチ５０および信号表示灯６０をさらに備える。投光器１００は、後述する信号器に接続ケーブル１を介して接続される。投光器１００は、ハンドル３０を片手で握った状態で携行可能である。また、投光器１００は、後述するように、カラビナを用いた携行（例えばカラビナを用いてユーザの腰に提げた状態での携行）も可能である。
【００６１】
光源部（光源ユニット）１０は、光源として複数のＬＥＤ（発光ダイオード）素子１１（後述する図５から図８参照）を含む。光源部１０は、光を集光照射する状態と、拡散照射する状態とを切り換えることができる。つまり、光源部１０は、その配光を切り換え得る構成を有する。光源部１０のより具体的な構成については後述する。
【００６２】
筐体（器具本体）２０は、光源部１０を収容する。筐体２０は、軽量で耐熱性に優れた材料から形成されていることが好ましい。筐体２０の材料として、例えば炭素繊維強化プラスチック（ＣＦＲＰ）やガラス繊維強化プラスチック（ＧＦＲＰ）、金属材料（例えばアルミニウム合金）などを好適に用いることができる。光源部１０は、筐体２０の前部に配置されており、光源部１０の前部（後述する第１レンズ部および第２レンズ部）は、筐体２０から露出している。また、筐体２０の前部には、光源部１０の前部を保護するための保護部材（レンズガード）２５が取り付けられている。保護部材２５は、金属材料（例えばチタン合金やステンレス合金など）から形成されている。
【００６３】
筺体２０の両側面（左側面および右側面）のそれぞれに、複数の切り欠き部２１ａ、２１ｂが形成されている。これらの切り欠き部２１ａ、２１ｂは、光源部１０の熱を放出するための放熱孔として機能する。図示している例では、複数の切り欠き部２１ａ、２１ｂは、略Ｘ字状の第１切り欠き部２１ａと、略矩形状または略台形状の複数の第２切り欠き部２１ｂとを含む。第１切り欠き部２１ａの上方に、３つの第２切り欠き部２１ｂが位置しており、第１切り欠き部２１ａの下方に、２つの第２切り欠き部２１ｂが位置している。
【００６４】
筺体２０の後部に、接続ケーブル１が接続されている。筐体２０の下部には、三脚取付ボス２６および支持部材２７が取り付けられている。既に説明したように、投光器１００は、携行しながら用いることが可能であるが、三脚取付ボス２６に三脚を取り付けることにより、地面から所望の高さに据え置いて使用することができる。支持部材２７は、投光器１００を地面に置いたときに、光源部１０の光軸が略水平となるように（つまり光が略水平に出射するように）設けられている。また、筐体２０の上部前側には、箱状の部分（以下では「ボックス部」と呼ぶ）２０ａが形成されている。ボックス部２０ａから後方かつやや下方に延びる凸部２０ｂが形成されている。筐体２０の上部後側には、ブザー２８が配置されている。また、ここでは図示していないが、筐体２０の内部において光源部１０の後方には、光源部１０に供給される電流を制御するための制御基板が配置されている。
【００６５】
筐体２０は、図４に示すように、筐体２０の他の部分よりも左右方向の幅が広い部分ＷＲを有する。以下では、この部分ＷＲを「幅広部」と呼び、筐体２０の幅広部ＷＲ以外の部分ＮＲを「幅狭部」と呼ぶ。つまり、筐体２０は、左右方向の幅が相対的に広い幅広部ＷＲと、左右方向の幅が相対的に狭い幅狭部ＮＲとを有する。
【００６６】
また、筐体２０の両側面のそれぞれは、左右方向内側に凹んだ曲面部分ＧＰを含む。この曲面部分ＧＰについては、後に詳述する。
【００６７】
ハンドル３０は、筐体２０の上部に配置されている。ハンドル３０は、ユーザの手によって把持される。図４に示すように、平面視（上面視）において、ハンドル３０の長手方向は、投光器１００の前後方向に向いている。また、ハンドル３０は、図３に示すように、側面視において、凸部２０ｂから後方かつやや下方に延びている。ハンドル３０は、金属材料（例えばアルミニウム合金）や樹脂材料（例えばポリアセタールやナイロン６６）から形成されている。ハンドル３０の前端に、筐体２０の凸部２０ｂが差し込まれている。ハンドル３０の後端は、ブラケット２９を介して筐体２０の後部に固定されている。ブラケット２９は、例えばＣＦＲＰや、チタン合金、ステンレス合金などの金属材料から形成されている。
【００６８】
ハンドル３０は、柱状である。図示している例では、ハンドル３０は、第１平面３０ａおよび第２平面３０ｂと、第１曲面３０ｃおよび第２曲面３０ｄとを側面として有している。第１平面３０ａおよび第２平面３０ｂは、互いに対向している。第１曲面３０ｃおよび第２曲面３０ｄは、互いに対向している。第１曲面３０ｃおよび第２曲面３０ｄは、それぞれ第１平面３０ａと第２平面３０ｂとを接続している。図示している例では、ハンドル３０は、第１平面３０ａおよび第２平面３０ｂが投光器１００の左右方向を向くように配置されている。
【００６９】
第１スイッチ４０は、信号器に接続ケーブル１を介して信号を送信する操作を受け付ける。これに対し、第２スイッチ５０は、光源部１０の配光を切り換える操作を受け付ける。以下では、第１スイッチ４０を「信号スイッチ」と呼び、第２スイッチ５０を「配光切換スイッチ」と呼ぶこともある。
【００７０】
図示している例では、第１スイッチ４０および第２スイッチ５０のそれぞれは、いわゆる押しボタンスイッチである。なお、言うまでもないが、第１スイッチ４０および第２スイッチ５０は、押しボタンスイッチに限定されない。例えば、第１スイッチ４０および第２スイッチ５０は、タクタイルスイッチ、ロッカースイッチまたはトグルスイッチであってもよい。
【００７１】
信号表示灯６０は、信号器への信号の送信に応じて点灯する。典型的には、信号表示灯６０は、信号の送信に同期して点灯する。図示している例では、信号器への信号の送信に応じてブザー２８も動作する。つまり、ブザー２８は、信号の送信に応じて（典型的には同期して）ブザー音を発する。
【００７２】
図５から図８を参照しながら、光源部１０の具体的な構成を説明する。図５、図６、図７および図８は、それぞれ光源部１０を模式的に示す斜視図、正面図、側面図および上面図である。
【００７３】
光源部１０は、図５から図８に示すように、複数のＬＥＤ素子１１、第１レンズ部１２、第２レンズ部１３およびヒートシンク部１４を有する。
【００７４】
複数のＬＥＤ素子１１は、図６に示すように、正面方向から見たときに相対的に外側に位置する複数の（ここでは６つの）第１ＬＥＤ素子１１ａと、相対的に内側に位置する複数の（ここでは６つの）第２ＬＥＤ素子１１ｂとを含む。なお、第１ＬＥＤ素子１１ａおよび第２ＬＥＤ素子１１ｂの個数や配置は、図示している例に限定されるものではない。
【００７５】
第１レンズ部１２は、複数の第１ＬＥＤ素子１１ａに対応する位置に配置された複数のレンズ（第１レンズ）１２ａを含む。第２レンズ部１３は、複数の第２ＬＥＤ素子１１ｂに対応する位置に配置された複数のレンズ（第２レンズ）１３ａを含む。第１レンズ部１２および第２レンズ部１３は、それぞれ樹脂材料またはガラス材料から形成されている。
【００７６】
ヒートシンク部１４は、ベース部１４ａと、複数のフィン１４ｂとを有する。ベース部１４ａは、第１レンズ部１２および第２レンズ部１３に接続されている。複数の（ここでは１０枚の）フィン１４ｂは、ベース部１４ａから後方に延びている。ヒートシンク部１４は、金属材料（例えばアルミニウム合金）から形成されている。なお、フィン１４ｂの個数や配置、形状等は、図示している例に限定されるものではない。
【００７７】
各ＬＥＤ素子１１が発する光は、対応するレンズ（第１レンズ１２ａまたは第２レンズ１３ａ）によって所望の指向性を与えられる。例示している光源部１０では、第１レンズ１２ａの焦点距離と、第２レンズ１３ａの焦点距離とが異なっている。第２スイッチ５０を操作すると、第１ＬＥＤ素子１１ａのみが点灯している状態と、第２ＬＥＤ素子１１ｂのみが点灯している状態とを切り換えることができるので、光源部１０の配光を切り換えることができる。第１レンズ１２ａおよび第２レンズ１３ａの焦点距離は、第１ＬＥＤ素子１１ａのみが点灯している状態が集光照射状態で第２ＬＥＤ素子１１ｂのみが点灯している状態が拡散反射状態であるように設定されていてもよいし、その逆でもよい。
【００７８】
第１ＬＥＤ素子１１ａと第２ＬＥＤ素子１１ｂとは、互いに発光色が同じであってもよいし、異なっていてもよい。第１ＬＥＤ素子１１ａの発光色と第２ＬＥＤ素子１１ｂの発光色とが異なっていると、配光の切り替えの際に光源部１０の発光色も切り替えることができる。第１ＬＥＤ素子１１ａの発光色と第２ＬＥＤ素子１１ｂの発光色とが異なる構成としては、例えば、第１ＬＥＤ素子１１ａおよび第２ＬＥＤ素子１１ｂの一方の発光色が白で、他方の発光色が黄である構成を採用することができる。煙が充満している空間内では、発光色によって視認性が異なる（例えば白色光よりも黄色の光の方が視認性が高い）ので、光源部１０の発光色を切り換えることにより、作業性のいっそうの向上を図ることができる。
【００７９】
図９を参照しながら、信号器の一例を説明する。図９は、信号器２００を模式的に示す側面図である。
【００８０】
図９に示す信号器２００は、接続ケーブル１を介して投光器１００に接続されている。また、信号器２００は、別の接続ケーブル２を介して商用電源または発電機に接続されている。従って、投光器１００は、信号器２００を介して外部電源（商用電源または発電機）から電力を供給されるといえる。外部電源から電力の供給を行うことにより、投光器１００を長時間（消防活動に必要な所望の時間）使用することができる。
【００８１】
信号器２００は、信号器本体２０１、ハンドル２０２、第３スイッチ（信号スイッチ）２０３、信号表示灯２０４、ブザー２０５および電源ユニット２０６を備える。
【００８２】
信号器本体２０１は、その内部にブザー２０５および電源ユニット２０６を収容する。信号器本体２０１の上部に、ハンドル２０２が設けられている。
【００８３】
第３スイッチ２０３は、投光器１００に接続ケーブル１を介して信号を送信する操作を受け付ける。図示している例では、第３スイッチ２０３は、信号器本体２０１の上部に配置されている。
【００８４】
信号表示灯２０４は、投光器１００への信号の送信に応じて点灯する。典型的には、信号表示灯２０４は、信号の送信に同期して点灯する。図示している例では、投光器１００への信号の送信に応じてブザー２０５も動作する。つまり、ブザー２０５は、信号の送信に応じて（典型的には同期して）ブザー音を発する。
【００８５】
電源ユニット２０６は、商用電源や発電機から供給される電流・電圧に対し、必要に応じて整流や昇圧、降圧等を行う。
【００８６】
ここで再び図１から図４および図１０を参照しながら、本実施形態における投光器１００の構成を説明する。
【００８７】
投光器１００のハンドル３０には、図１などに示すように、少なくとも１つの貫通孔３１が形成されている。本実施形態では、貫通孔３１の個数は、複数であり、より具体的には２である。２つの貫通孔３１は、ハンドル３０を、第１平面３０ａ側から第２平面３０ｂ側に向かって（第２平面３０ｂ側から第１平面３０ａ側に向かって、ともいえる）貫通している。従って、貫通孔３１の深さ方向は、投光器１００の左右方向に向いており、言い換えると、貫通孔３１の中心軸（図１参照）は、投光器１００の左右方向に向いている。図示している例では、貫通孔３１の中心軸は、投光器１００の左右方向に略平行である。また、貫通孔３１の中心軸方向（深さ方向）から見たときの形状は、略円形である。
【００８８】
図１０には、投光器１００の重心の位置を示している。図１０において、鎖線ＣＧが前後方向における重心の位置を示している。図１０からわかるように、投光器１００の重心は、前後方向中央よりも前方（つまり光源部１０側）に位置している。そして、２つの貫通孔３１は、投光器１００の前後方向において、投光器１００の重心と、ハンドル３０の後端との間に位置している。
【００８９】
また、図１０における鎖線ＣＨは、投光器１００の前端から、投光器１００全体の長さの２／３だけ離れた位置を示している。つまり、鎖線ＣＨは、投光器１００の前端から２／３の範囲と、残りの範囲すなわち投光器１００の後端から１／３の範囲との境界を示している。
【００９０】
図１０に示すように、２つの貫通孔３１のうち、相対的に前側に位置する第１貫通孔３１Ａは、投光器１００の前後方向において、投光器１００の重心よりも後方で、かつ、投光器１００の前端から２／３の範囲内に位置している。また、相対的に後側に位置する第２貫通孔３１Ｂは、投光器１００の前後方向において、投光器１００の重心よりも後方で、かつ、投光器１００の後端から１／３の範囲内に位置している。
【００９１】
上述した貫通孔３１は、カラビナを通すための孔である。従って、貫通孔３１は、使用されるカラビナの直径よりも大きな直径を有する。カラビナの例を図１１（ａ）、（ｂ）および（ｃ）に示す。図１１（ａ）は、カラビナ３００を示す平面図である。図１１（ｂ）および（ｃ）は、それぞれカラビナ３００を図１１（ａ）中の方向Ｄ１およびＤ２から見た図である。
【００９２】
カラビナ３００全体の外形は、環状であり、より具体的には、略Ｏ字状である。カラビナ３００は、金属材料から形成されている。カラビナ３００は、本体部３０１と、本体部３０１に開閉自在に取り付けられたゲート部３０２とを備える。図示している例では、ゲート部３０２は、スクリューロック式である。
【００９３】
図１２に、投光器１００のハンドル３０の貫通孔３１にカラビナ３００を通した状態の例を示す。図１２に示すように、ハンドル３０の貫通孔３１にカラビナ３００を通すことにより、カラビナ３００を用いた投光器１００の携行（例えば投光器１００をユーザの腰に提げた状態での携行）が可能となる。なお、ここでは、第１貫通孔３１Ａにカラビナ３００を通す例を説明したが、第２貫通孔３１Ｂにカラビナ３００を通してもよい。
【００９４】
上述したように、本実施形態の投光器１００では、ハンドル３０に少なくとも１つの貫通孔３１が形成されているので、貫通孔３１にカラビナ３００を通すことによってカラビナ３００を用いた携行が可能となる。本実施形態によれば、カラビナ３００を通すための部材（例えば板金ブラケット等）を別途に筐体２０に取り付ける必要がないので、部品点数を少なくすることができ、投光器１００の軽量化を図ることができる。また、ハンドル３０に貫通孔３１が形成されていることにより、ハンドル３０自体が軽量化されるので、そのことにより投光器１００全体を軽量化する効果を得ることもできる。
【００９５】
また、ハンドル３０に形成された貫通孔３１にカラビナ３００を通した場合、ハンドル３０と筐体２０との間にカラビナ３００を通した場合のようなカラビナ３００のすべり（ずれ）を防止できるので、カラビナ３００を用いた携行時の投光器１００の姿勢を安定させることができる。
【００９６】
さらに、本実施形態では、ハンドル３０の貫通孔３１は、投光器１００の前後方向において、投光器１００の重心とハンドル３０の後端との間に位置している。つまり、ハンドル３０の貫通孔３１は、投光器１００の重心よりも後方に位置している。これにより、カラビナ３００を用いた携行時に、光源部１０が斜め上を向いてしまうことを防止できる。光源部１０が斜め上を向くと、人の顔に光を照射してしまうおそれがある。このように、ハンドル３０にカラビナ３００を通すための貫通孔３１を設ける構成では、貫通孔３１の位置や個数などにある程度自由度があるので、投光器１００を腰に提げた状態でのバランス（投光器１００の傾き）を調整することができる。
【００９７】
また、本実施形態では、平面視において、ハンドル３０の長手方向が投光器１００の前後方向に向いている。これに対し、ハンドルの長手方向が投光器の左右方向を向いている構成を採用すると、カラビナを用いて投光器を腰に提げたときに、ユーザの身体の側面から投光器が出っ張りすぎるので、狭い場所での行動には不適である。本実施形態のように、ハンドル３０の長手方向が投光器１００の前後方向に向いていることにより、狭い場所での行動が想定される消防活動や災害救助に投光器１００を好適に用いることができる。
【００９８】
上述したように、本発明の実施形態によれば、カラビナ３００を用いた携行に好適な構造を有し、且つ、軽量化を実現できる消防用投光器１００が得られる。
【００９９】
また、カラビナ３００を通すための部材（例えば上述したような板金ブラケット）を別途に筐体２０に取り付けた場合、投光器１００に余分な凹凸部が増えてしまうことになり、そのような凹凸部は、消防活動時に物に引っ掛かるおそれがある。本実施形態によれば、そのような余分な凹凸部が増えることがない。つまり、投光器１００全体の凹凸部を少なくすることができる。図示している例では、ハンドル３０は、凸部（突起部）を有していない。
【０１００】
なお、本実施形態では、ハンドル３０の貫通孔３１の個数が複数である場合を例示したが、貫通孔３１の個数は１であってもよい。本実施形態で例示したように、貫通孔３１の個数が複数であると、カラビナ３００を用いた携行の際の投光器１００の姿勢（傾き）を調整（選択）することができる。例えば、図１等に示した構成では、ハンドル３０に形成された２つの貫通孔３１のうち、相対的に後側に位置する（つまり投光器１００の重心からの距離が相対的に大きい）第２貫通孔３１Ｂにカラビナ３００を通すと、相対的に前側に位置する（つまり投光器１００の重心からの距離が相対的に小さい）第１貫通孔３１Ａにカラビナ３００を通した場合と比べて、光源部１０をより下方に向ける（つまり水平方向に対する投光器１００の傾きを大きくする）ことができる。
【０１０１】
また、ハンドル３０の貫通孔３１の個数が複数である場合、貫通孔３１の個数は２に限定されず、３以上であってもよい。投光器１００の姿勢の調整（選択）のバリエーションを増やす観点からは、貫通孔３１の個数は３以上が好ましいといえるが、製造の容易さの観点からは、２が好ましいといえる。
【０１０２】
光源部１０を水平方向に近い方向に向ける観点からは、少なくとも１つの貫通孔３１は、なるべく投光器１００の重心に近い位置に配置された貫通孔３１を含んでいることが好ましく、具体的には、本実施形態で例示したように、投光器１００の前後方向において投光器１００の前端から投光器１００の長さ（より厳密には前後方向の長さ）の２／３の範囲内に位置する第１貫通孔３１Ａを含むことが好ましい。また、携行時の投光器１００の姿勢の調整の幅を大きくする観点からは、少なくとも１つの貫通孔３１は、そのような位置に配置された第１貫通孔３１Ａに加えて、投光器１００の前後方向において投光器１００の後端から投光器１００の長さ（より厳密には前後方向の長さ）の１／３の範囲内に位置する第２貫通孔３１Ｂをさらに含むことが好ましい。
【０１０３】
消防用途のカラビナ３００の直径ｄｃ（図１１（ａ）参照）は、例えば１０ｍｍである。貫通孔３１の直径ｄ（図１２参照）が１４ｍｍ以上であると、貫通孔３１にカラビナ３００を好適に通すことができる。
【０１０４】
また、消防用途のカラビナ３００では、ゲート部３０２の開口幅ｗ（図１１（ａ）参照）は例えば３４ｍｍ程度である。そのため、貫通孔３１の中心軸方向に沿ったハンドル３０の厚さｔ（図４参照）は、２４ｍｍ以下であることが好ましい。
【０１０５】
（実施形態２）
図１３から図１５を参照しながら、本実施形態における投光器１００Ａを説明する。図１３、図１４および図１５は、それぞれ投光器１００Ａを模式的に示す斜視図、側面図および上面図である。以下では、投光器１００Ａが、実施形態１における投光器１００と異なる点を中心として説明を行う。
【０１０６】
実施形態１の投光器１００では、ハンドル３０の貫通孔３１の中心軸は、投光器１００の左右方向に向いている。これに対し、本実施形態の投光器１００Ａでは、図１３、図１４および図１５に示すように、ハンドル３０の貫通孔３１の中心軸は、投光器１００Ａの上下方向に向いている。図示している例では、投光器１００Ａのハンドル３０は、第１平面３０ａおよび第２平面３０ｂが投光器１００Ａの上下方向を向くように（つまり第１曲面３０ｃおよび第２曲面３０ｄが投光器１００Ａの左右方向を向くように）配置されている。従って、貫通孔３１の深さ方向は、投光器１００の上下方向に向いている。
【０１０７】
なお、「貫通孔３１の中心軸が投光器１００Ａの上下方向を向いている」ことは、必ずしも貫通孔３１の中心軸が投光器１００Ａの上下方向に厳密に平行であることを意味しておらず、貫通孔３１の中心軸が投光器１００Ａの上下方向に対して前後方向にやや傾斜している（例えば４５°以下、典型的には３０°以下、の角度で傾斜している）態様も含んでいる。
【０１０８】
本実施形態のように、ハンドル３０の貫通孔３１の中心軸が投光器１００Ａの上下方向を向いている構成であっても、実施形態１と同様に、カラビナ３００を用いた携行を好適に行うとともに、軽量化を実現することができる。
【０１０９】
（実施形態３）
図１６および図１７を参照しながら、本実施形態における投光器１００Ｂを説明する。図１６および図１７は、それぞれ投光器１００Ｂを模式的に示す斜視図および上面図である。以下では、投光器１００Ｂが、実施形態２における投光器１００Ａと異なる点を中心として説明を行う。
【０１１０】
実施形態２の投光器１００Ａでは、ハンドル３０の２つの貫通孔３１は、いずれも中心軸方向から見たときの形状が略円形である。これに対し、本実施形態の投光器１００Ｂでは、図１６および図１７に示すように、ハンドル３０の２つの貫通孔３１の一方（第１貫通孔）３１Ａは、中心軸方向から見たときの形状が円形を細長く引き伸ばした形状である、いわゆる長孔である。
【０１１１】
本実施形態のように、少なくとも１つの貫通孔３１が、長孔である貫通孔３１を含むことにより、ハンドル３０および投光器１００Ｂのいっそうの軽量化を図ることができる。
【０１１２】
なお、ここでは、２つの貫通孔３１のうちの第１貫通孔３１Ａが長孔である構成を例示したが、第１貫通孔３１Ａに代えて第２貫通孔３１Ｂを長孔としてもよいし、第１貫通孔３１Ａおよび第２貫通孔３１Ｂの両方を長孔としてもよい。
【０１１３】
既に説明したように、消防用途のカラビナ３００の直径ｄｃは、例えば１０ｍｍであるので、長孔である第１貫通孔３１Ａの短径ｄｓ（図１７参照）は、１４ｍｍ以上であることが好ましい。短径ｄｓが１４ｍｍ以上であると、第１貫通孔３１Ａにカラビナ３００を好適に通すことができる。
【０１１４】
（筐体に設けられた係止手段）
消防活動の際、消防士が着用する防火衣の腰部分には、安全帯と呼ばれるベルトが巻かれる。本発明の実施形態による投光器は、ユーザ（消防士）の腰に巻かれた安全帯に筐体を係止する係止手段をさらに備えてもよい。この係止手段は、筐体の両側面の少なくとも一方に設けられる。以下、図１などに示した実施形態１の投光器１００を例として、係止手段が設けられていることによる利点を説明する。図示している例では、係止手段は、クリップ部２２であり、筐体２０の両側面のそれぞれに設けられている。以下、クリップ部２２の具体的な構成について説明を行う。
【０１１５】
図３に示すように、クリップ部２２は、第１切り欠き部２１ａによって規定される形状を有する。ここでは、第１切り欠き部２１ａは略Ｘ字状である。そのため、クリップ部２２は、下方に延びる第１舌片部２２ａと、上方に延びる第２舌片部２２ｂとを含む。
【０１１６】
図１８に、投光器１００の前後方向中央の位置および投光器１００の重心の位置を示す。図１８において、鎖線ＣＰが前後方向中央の位置を示しており、鎖線ＣＧが前後方向における重心の位置を示している。
【０１１７】
図１８からわかるように、係止手段であるクリップ部２２は、投光器１００の前後方向中央よりも前方に位置している。つまり、クリップ部２２は、投光器１００の前後方向中央よりも投光器１００の重心側に位置している。なお、図１８には、クリップ部２２の前後方向中央の位置を、鎖線２２ｃｐで示している。図１８からもわかるように、「係止手段（クリップ部２２）が、投光器１００の前後方向中央よりも投光器１００の重心側に位置している」とは、係止手段（クリップ部２２）の前後方向中央（鎖線２２ｃｐで示される位置）が、投光器１００の前後方向中央よりも重心側に位置していることを意味する。
【０１１８】
図１９に、クリップ部２２によって筐体２０が安全帯ＳＢに係止されている状態を示す。安全帯ＳＢの幅および厚さは、それぞれ例えば５０ｍｍおよび２ｍｍである。図１９に示すように、安全帯ＳＢをクリップ部２２の第１舌片部２２ａおよび第２舌片部２２ｂに引っ掛けるように（言い換えると第１舌片部２２ａおよび第２舌片部２２ｂの裏側に安全帯ＳＢの一部が位置するように）第１切り欠き部２１ａに通すことにより、筐体２０を安全帯ＳＢに係止することができる。これにより、投光器１００を前方に向けたままユーザの腰に固定することができる。このとき、クリップ部２２は、安全帯ＳＢに筐体２０を少なくとも３点で係止する。図示している例では、クリップ部２２は、３点で係止を行っている。より具体的には、第１舌片部２２ａが２点、第２舌片部２２ｂが１点で係止を行っている。
【０１１９】
上述したように、投光器１００は、安全帯ＳＢに筐体２０を係止する係止手段（クリップ部２２）を備えており、係止手段は、投光器１００の前後方向中央よりも投光器１００の重心側に位置している。係止手段が前後方向中央よりも重心側に位置していることにより、重心から比較的近い位置で係止が行われるので、光源部１０がユーザの前方を向いたままの状態で投光器１００をユーザの身体に固定することが容易となる。これに対し、係止手段が前後方向中央に対して重心とは反対側に位置していると、投光器１００の重心から係止手段までの距離が比較的長くなることがあり、光源部１０がユーザの前方を向いたままの状態で投光器１００をユーザの身体に固定することが難しくなるおそれがある。
【０１２０】
このように、係止手段を備える投光器１００は、前方を照らす状態で（つまり光源部１０がユーザの前方を向いたまま）ユーザの身体に好適に固定することができる。
【０１２１】
なお、図示した例では、係止手段（クリップ部２２）が筐体２０の両側面のそれぞれに設けられているが、係止手段が筐体２０の両側面の一方のみ（左側面および右側面のいずれか）に設けられていてもよい。例示したように、係止手段が筐体２０の両側面のそれぞれに設けられていると、投光器１００をユーザの腰の右側および左側のどちらにも固定することができるので、ユーザの利き手を問わず投光器１００を好適に使用できる利点が得られる。
【０１２２】
既に説明したように、筐体２０の両側面のそれぞれは、左右方向内側に凹んだ曲面部分ＧＰを含んでいる。筺体２０の、係止手段が設けられている側面がこのような曲面部分ＧＰを含むことにより、安全帯ＳＢに筐体２０を係止（つまり投光器１００を固定）したときに、筐体２０がユーザの身体にフィットしやすくなる。つまり、上述した曲面部分ＧＰは、ユーザの身体に対するガイド形状を有する部分であり、以下では「ガイド部」とも呼ぶ。以下、図２０および図２１を参照しながら、このことをより具体的に説明する。図２０は、投光器１００の側面図であり、ガイド部ＧＰにわかりやすさのためにハッチングを付している。図２１は、投光器１００の上面図であり、併せてユーザの腰ＷＡを模式的に示している。
【０１２３】
本実施形態では、ガイド部ＧＰは、図２０に示すように、筐体２０の側面の上下方向における中央部に位置しており、図２１に示すように、ユーザの腰ＷＡ（より具体的には腰ＷＡに巻かれた安全帯ＳＢ）に当接する。
【０１２４】
筺体２０の側面がこのようなガイド部ＧＰを含むことにより、安全帯ＳＢに筐体２０を係止したときに、筐体２０がユーザの身体にフィットしやすくなる。言い換えると、ユーザの身体にクリップ部２２だけでなくガイド部ＧＰも当接するようになる。そのため、投光器１００を固定したときの安定性が増す。また、ユーザが素早く動いても、クリップ部２２のみに負荷が集中することを防止できるので、クリップ部２２が破損しにくい。また、比較的広い面積で投光器１００を支持することになるので、光源部１０をユーザの前方に向けたままの固定がいっそう容易となる。
【０１２５】
ガイド部ＧＰの具体的な形状は、ユーザの腰になるべく沿うように設定される。ガイド部ＧＰの曲率半径は、例えば２５０ｍｍ以上１３００ｍｍ以下である。
【０１２６】
また、例示している構成では、係止手段が、筐体２０の側面の切り欠き部２１ａによって規定される形状を有するクリップ部２２である。これにより、部品点数の削減および筐体２０の軽量化を図るとともに、投光器１００のデザイン性を高くすることができる。
【０１２７】
筐体２０の切り欠き部２１ａは、光源部１０で生じる熱を放出するための放熱孔として機能してもよい。放熱孔を、クリップ部２２の形状を規定する切り欠き部２１ａとしても用いることにより、筐体２０に余分な孔を形成する必要がない。
【０１２８】
クリップ部２２が、投光器１００の下方に延びる第１舌片部２２ａを含むことにより、水平方向に延びる安全帯ＳＢに対し、投光器１００をユーザの前方に向けたまま係止することが容易となる。また、クリップ部２２が、投光器１００の上方に延びる第２舌片部２２ｂをさらに含むことにより、安全帯ＳＢに対して投光器１００をより確実に固定することができる。第１舌片部２２ａと第２舌片部２２ｂとは、連続しておらず、第１舌片部２２ａと第２舌片部２２ｂとの間には隙間があるので、ユーザは、安全帯ＳＢを身体から取り外すことなく、安全帯ＳＢに投光器１００を固定することができる。
【０１２９】
上述したような第１舌片部２２ａおよび第２舌片部２２ｂを含むクリップ部２２は、例えば、第１切り欠き部２１ａを略Ｘ字状にすることにより得られる。勿論、第１切り欠き部２１ａの形状はこれに限定されるものではない。例示した略Ｘ字状の他、略Ｈ字状、略Ｍ字状、略Ｗ字状、略Ｖ字状、略Ｕ字状などであってもよい。
【０１３０】
また、図示した例では、投光器１００の重心が、投光器１００の前後方向中央よりも前方に位置しており、筐体２０の幅広部ＷＲも投光器１００の前後方向中央より前方に位置している。そのため、幅広部ＷＲがユーザの身体（具体的には腰から大腿部）に当接することにより、投光器１００が前下がりになることを防止して投光器１００がユーザの前方に向いた状態をより確実に維持することができる。このように、幅狭部ＮＲに配置された係止手段（クリップ部２２）と、幅広部ＷＲとによって、ユーザの身体に固定した投光器１００によって前方を照らす状態を維持することが容易となる。
【０１３１】
なお、クリップ部２２の第１舌片部２２ａおよび第２舌片部２２ｂの幅や長さに特に制限はなく、安全帯ＳＢに対する筐体２０の係止を十分確実に行い得るように適宜設定され得る。第１舌片部２２ａと第２舌片部２２ｂとは、互いに長さが異なることが好ましい。第１舌片部２２ａと第２舌片部２２ｂとで長さが異なることにより、つまり、比較的長い舌片部と比較的短い舌片部とを組み合わせて用いることにより、安全帯ＳＢに舌片部を掛けやすく、また、クリップ部２２から安全帯ＳＢが外れにくいという利点が得られる。図３などに示したように第１舌片部２２ａが第２舌片部２２ｂより長くてもよいし、逆に、第２舌片部２２ｂが第１舌片部２２ａより長くてもよい。クリップ部２２によって安全帯ＳＢに筐体２０を係止する際には、まず、長い方の舌片部を安全帯ＳＢに掛け、その後、短い方の舌片部を安全帯ＳＢに掛けることになる。第１舌片部２２ａと第２舌片部２２ｂとで長さが同じ場合、第１舌片部２２ａおよび第２舌片部２２ｂの両方が長いと、安全帯ＳＢに舌片部を掛けにくい（つまり投光器１００の取付けが難しい）ことがあり、第１舌片部２２ａおよび第２舌片部２２ｂの両方が短いと、クリップ部２２から安全帯ＳＢが外れやすくなることがある。
【０１３２】
また、図示している例では、クリップ部２２が第１舌片部２２ａおよび第２舌片部２２ｂを１つずつ含んでいるが、クリップ部２２は第１舌片部２２ａおよび／または第２舌片部２２ｂを複数含んでいてもよい。例えば、クリップ部２２は、２つの第１舌片部２２ａと、１つの第２舌片部２２ｂとを含んでもよい。さらに、クリップ部２２は、第２舌片部２２ｂを含んでいなくもよい。第１切り欠き部２１ａが略Ｈ字状の場合、クリップ部２２は、略Ｘ字状の場合と同様に、第１舌片部２２ａおよび第２舌片部２２ｂを１つずつ含む。これに対し、第１切り欠き部２１ａが略Ｍ字状の場合、クリップ部２２は、１つの第１舌片部２２ａおよび２つの第２舌片部２２ｂを含む。また、第１切り欠き部２１ａが略Ｗ字状の場合、クリップ部２２は、２つの第１舌片部２２ａおよび１つの第２舌片部２２ｂを含む。第１切り欠き部２２ａが略Ｖ字状または略Ｕ字状の場合、クリップ部２２は、１つの第１舌片部２２ａを含み、第２舌片部２２ｂを含まない。
【０１３３】
なお、ここでは、係止手段として、筐体２０に一体に形成されたクリップ部２２を例示したが、係止手段はこれに限定されるものではない。係止手段は、筐体２０と一体に形成されてもよいし、筐体２０と別体に形成されてもよい。筐体２０と別体に形成された係止手段は、筐体２０に接合されていてもよいし、筐体２０に対して取り付けおよび取り外し可能なアタッチメント部材であってもよい。図２２に、そのようなアタッチメント部材の例を示す。図２２（ａ）、（ｂ）、（ｃ）および（ｄ）は、それぞれ係止手段として機能するアタッチメント部材７０を模式的に示す上面図、側面図、正面図および背面図である。
【０１３４】
図２２（ａ）、（ｂ）、（ｃ）および（ｄ）に示すように、アタッチメント部材７０は、底部７１および底部７１の一端から上方に延びる側壁部７２を有する。アタッチメント部材７０の断面形状は、略Ｌ字状である。
【０１３５】
図２２（ａ）に示すように、底部７１は、中央付近に貫通孔７１ａを有する。
【０１３６】
図２２（ｃ）に示すように、側壁部７２の正面側には、略Ｘ字状（略Ｈ字状ともいえる）の切り欠き部７２ａが形成されている。また、図２２（ｂ）および（ｄ）に示すように、側壁部７２の背面側には、複数（ここでは２つ）の突起７２ｂが設けられている。突起７２ｂの先端部は、フランジ状である。
【０１３７】
また、アタッチメント部材７０は、図２２（ｃ）に示すように、側壁部７２の切り欠き部７２ａによって規定される形状を有するクリップ部７３を含む。クリップ部７３は、下方に延びる第１舌片部７３ａと、上方に延びる第２舌片部７３ｂとを含む。
【０１３８】
上述した構成を有するアタッチメント部材７０は、底部７１の貫通孔７１ａに三脚取付ボス２６を差し込むとともに、側壁部７２の突起７２ｂを筐体２０の放熱孔に引っ掛けることにより、筐体２０に取り付けることができる。また、アタッチメント部材７０は、クリップ部７３によって安全帯ＳＢに係止され得る（つまり取り付けられ得る）。実際の使用の際には、あらかじめアタッチメント部材７０を安全帯ＳＢに取り付けておき、必要に応じてアタッチメント部材７０を投光器１００に取り付けることにより、投光器１００をユーザの身体に固定することができる。
【０１３９】
筐体２０とは別体のアタッチメント部材７０を用いる場合、筐体２０には、第１切り欠き部２１ａのようなサイズの大きい放熱孔を形成する必要はない。そのため、放熱孔のサイズを小さくできるので、例えば投光器１００を引きずった場合に投光器１００を何かに引っ掛けてしまう可能性を低減できる。
【０１４０】
（スイッチおよび信号表示灯の好ましい配置）
実施形態１の投光器１００を例として、第１スイッチ（信号スイッチ）４０および第２スイッチ（配光切換スイッチ）５０と、信号表示灯６０の好ましい配置を説明する。
【０１４１】
図１などに示す投光器１００では、第１スイッチ４０および第２スイッチ５０は、ハンドル３０を把持した手の指が届く範囲内に配置されている。図示している例では、筐体２０の長手方向において、第１スイッチ４０および第２スイッチ５０は、ハンドル３０の前方に位置している。また、第１スイッチ４０および第２スイッチ５０は、筐体２０の上部（より具体的にはボックス部２０ａ）に配置されており、第１スイッチ４０および第２スイッチ５０のスイッチ機構部（ここでは不図示）はボックス部２０ａに収容されている。
【０１４２】
また、信号表示灯６０は、第１スイッチ４０および第２スイッチ５０の周辺に配置されている。図示している例では、筐体２０の長手方向において、信号表示灯６０は、ハンドル３０の前方に位置している。また、信号表示灯６０は、筐体２０の上部（より具体的にはボックス部２０ａ）に配置されている。上方から見たとき、信号表示灯６０、第１スイッチ４０および第２スイッチ５０は、仮想的な三角形の頂点に位置するように配置されている。図示している例では、筐体２０の長手方向において、第２スイッチ５０が第１スイッチ４０および信号表示灯６０よりも前方に位置している。
【０１４３】
上述したように、第１スイッチ（信号スイッチ）４０および第２スイッチ（配光切換スイッチ）５０が、ハンドル３０を把持した手（以下では「持ち手」と呼ぶ）の指が届く範囲内に配置されていると、信号の送信および配光の切り替えのそれぞれを、持ち手での片手操作により行うことができる。そのため、ハンドル３０を把持していない方の手を空けたり、投光器１００を地面に置いたりする必要がない。従って、投光器１００の操作性を向上させることができる。
【０１４４】
ここで、「持ち手の指の届く範囲」は、成人の平均的な手の大きさ（指の長さ）に基づいて設定され得る。本実施形態で例示した構成では、第１スイッチ４０および第２スイッチ５０は、ハンドル３０の前方に位置している。この場合、「持ち手の指の届く範囲」とは、例えば、ハンドル３０の前端３０ｆｅ（図３参照）から５０ｍｍ以内の範囲である。
【０１４５】
ハンドル３０を把持する際の手の姿勢を考慮すると、第１スイッチ４０および第２スイッチ５０の操作は、親指で行うことが好ましい。例示しているように、筐体２０の長手方向において、第１スイッチ４０および第２スイッチ５０がハンドル３０の前方に位置していると、親指での操作が容易である。
【０１４６】
親指での操作の容易さの観点からは、第１スイッチ４０および第２スイッチ５０は、ハンドル３０の軸線３０ｘ（図４参照）から大きく離れていないことが好ましく、言い換えると、実質的にハンドル３０の軸線３０ｘ上に位置していることが好ましい。
【０１４７】
また、図示している例では、信号表示灯６０が、第１スイッチ４０および第２スイッチ５０の周辺に配置されている。このことにより、信号表示灯６０の視認が容易となる。これに対し、例えば表示灯が投光器本体の側面に配置されていると、表示灯をユーザが視認できない（つまり表示灯がユーザの死角に入ってしまう）おそれがある。
【０１４８】
視認の容易さの観点からは、筐体２０の長手方向において、信号表示灯６０は、ハンドル３０の前方に位置していることが好ましい。信号表示灯６０がハンドル３０の前方に位置していると、ハンドル３０を把持している手によって信号表示灯６０が隠れることがない。
【０１４９】
なお、第１スイッチ４０、第２スイッチ５０および信号表示灯６０の配置は、図示した例に限定されるものではない。例えば、第１スイッチ４０と第２スイッチ５０の位置が入れ替わってもよいし、信号表示灯６０と第１スイッチ４０または第２スイッチ５０の位置が入れ替わってもよい。視認の容易さの観点からは、筐体２０の長手方向において、信号表示灯６０が第１スイッチ４０および第２スイッチ５０よりも前方に位置する配置（図示している第２スイッチ５０の位置に信号表示灯６０が配置された構成）が好ましいといえる。
【０１５０】
（防水区画）
言うまでもないが、消防活動は放水作業を伴うため、投光器１００は頻繁に被水する。そのため、投光器１００は、高い防水性を有することが好ましい。第１スイッチ４０および第２スイッチ５０と、光源部１０に供給される電流を制御する制御基板とは、離れた位置に配置され得るので、投光器１００は、少なくとも２つの防水区画を有することが好ましい。
【０１５１】
図２３に、投光器１００が有する防水区画の例を示す。図２３に示す例では、投光器１００は、３つの防水区画ＷＣ１、ＷＣ２およびＷＣ３を有する。
【０１５２】
防水区画ＷＣ１、ＷＣ２およびＷＣ３のうちの第１防水区画ＷＣ１は、筐体２０のボックス部２０ａに対応する領域であり、第１スイッチ４０、第２スイッチ５０および信号表示灯６０が配置されている。第２防水区画ＷＣ２は、筐体２０の後部に対応する領域であり、ブザー２８および不図示の制御基板が配置されている。第３防水区画ＷＣ３は、筐体２０の前部に対応する領域であり、光源部１０が配置されている。なお、防水区画を実現するための具体的な手法については、公知の手法を用いることができるので、ここではその説明を省略する。
【０１５３】
図２３に示した例のように、１つの防水区画（ここでは第１防水区画ＷＣ１）に第１スイッチ４０および第２スイッチ５０の両方を配置することにより、投光器１００全体での防水区画の数を比較的少なくすることができる。
【０１５４】
上述したように、本発明の実施形態による消防用投光器１００（１００Ａ、１００Ｂ）は、光源部１０と、光源部１０を収容する筐体２０と、筐体２０の上部に配置されユーザの手によって把持されるハンドル３０と、を備えた消防用投光器であって、平面視において、ハンドル３０の長手方向は、消防用投光器１００の前後方向に向いており、ハンドル３０には、少なくとも１つの貫通孔３１が形成されており、少なくとも１つの貫通孔３１は、消防用投光器１００の前後方向において、消防用投光器１００の重心と、ハンドル３０の後端との間に位置している。
【０１５５】
本発明の実施形態による消防用投光器１００では、ハンドル３０に少なくとも１つの貫通孔３１が形成されているので、貫通孔３１にカラビナ３００を通すことによってカラビナ３００を用いた携行が可能となる。本発明の実施形態によれば、カラビナ３００を通すための部材を別途に筐体２０に取り付ける必要がないので、部品点数を少なくすることができ、投光器１００の軽量化を図ることができる。さらに、ハンドル３０に貫通孔３１が形成されていることにより、ハンドル３０自体が軽量化されるので、そのことにより投光器１００全体を軽量化する効果を得ることもできる。また、ハンドル３０に形成された貫通孔３１にカラビナ３００を通した場合、ハンドル３０と筐体２０との間にカラビナ３００を通した場合のようなカラビナ３００のすべり（ずれ）を防止できるので、カラビナ３００を用いた携行時の投光器１００の姿勢を安定させることができる。さらに、本発明の実施形態による消防用投光器１００では、ハンドル３０の貫通孔３１は、投光器１００の前後方向において、投光器１００の重心とハンドル３０の後端との間に位置している。つまり、ハンドル３０の貫通孔３１は、投光器１００の重心よりも後方に位置している。これにより、カラビナ３００を用いた携行時に、光源部１０が斜め上を向いてしまうことを防止できる。光源部１０が斜め上を向くと、人の顔に光を照射してしまうおそれがある。このように、本発明の実施形態によれば、カラビナ３００を用いた携行に好適な構造を有し、且つ、軽量化を実現できる消防用投光器１００が得られる。
【０１５６】
ある実施形態において、少なくとも１つの貫通孔３１の個数は、複数である。
【０１５７】
ハンドル３０の貫通孔３１の個数が複数であると、カラビナ３００を用いた携行の際の投光器１００の姿勢（傾き）を調整（選択）することができる。
【０１５８】
ある実施形態において、少なくとも１つの貫通孔３１の個数は２である。
【０１５９】
製造の容易さの観点からは、ハンドル３０の貫通孔３１の個数は、２が好ましい。
【０１６０】
ある実施形態において、少なくとも１つの貫通孔３１は、消防用投光器１００の前後方向において、消防用投光器１００の前端から消防用投光器１００の長さの２／３の範囲内に位置する第１貫通孔３１Ａを含む。
【０１６１】
光源部１０を水平方向に近い方向に向ける観点からは、ハンドル３０に形成された少なくとも１つの貫通孔３１は、なるべく投光器１００の重心に近い位置に配置された貫通孔３１を含んでいることが好ましく、具体的には、投光器１００の前後方向において投光器１００の前端から投光器１００の長さの２／３の範囲内に位置する第１貫通孔３１Ａを含むことが好ましい。
【０１６２】
ある実施形態において、少なくとも１つの貫通孔３１は、消防用投光器１００の前後方向において、消防用投光器１００の後端から消防用投光器１００の長さの１／３の範囲内に位置する第２貫通孔３１Ｂをさらに含む。
【０１６３】
携行時の投光器１００の姿勢の調整の幅を大きくする観点からは、ハンドル３０に形成された少なくとも１つの貫通孔３１は、投光器１００の前後方向において投光器１００の後端から投光器１００の長さの１／３の範囲内に位置する第２貫通孔３１Ｂをさらに含むことが好ましい。
【０１６４】
ある実施形態において、少なくとも１つの貫通孔３１の中心軸は、消防用投光器１００の左右方向に向いている。
【０１６５】
少なくとも１つの貫通孔３１の中心軸は、例えば、投光器１００の左右方向に向いている。
【０１６６】
ある実施形態において、少なくとも１つの貫通孔３１の中心軸は、消防用投光器１００の上下方向に向いている。
【０１６７】
少なくとも１つの貫通孔３１の中心軸は、投光器１００の上下方向に向いていてもよい。
【０１６８】
ある実施形態において、少なくとも１つの貫通孔３１は、中心軸方向から見たときの形状が略円形である貫通孔３１を含む。
【０１６９】
少なくとも１つの貫通孔３１は、例えば、中心軸方向から見たときの形状が略円形である貫通孔３１を含んでいる。
【０１７０】
ある実施形態において、中心軸方向から見たときの形状が略円形である貫通孔３１の直径ｄは、１４ｍｍ以上である。
【０１７１】
消防用途のカラビナ３００の直径ｄｃは例えば１０ｍｍであるので、貫通孔３１の直径ｄが１４ｍｍ以上であると、貫通孔３１にカラビナを好適に通すことができる。
【０１７２】
ある実施形態において、少なくとも１つの貫通孔３１は、長孔である貫通孔３１を含む。
【０１７３】
少なくとも１つの貫通孔３１が、長孔である貫通孔３１を含むことにより、ハンドル３０および投光器１００のいっそうの軽量化を図ることができる。
【０１７４】
ある実施形態において、長孔である貫通孔３１の短径ｄｓは、１４ｍｍ以上である。
【０１７５】
消防用途のカラビナ３００の直径ｄｃは例えば１０ｍｍであるので、長孔である貫通孔３１の短径ｄｓは、１４ｍｍ以上であることが好ましい。
【０１７６】
ある実施形態において、少なくとも１つの貫通孔３１の中心軸方向に沿ったハンドル３０の厚さｔは、２４ｍｍ以下である。
【０１７７】
また、消防用途のカラビナ３００では、ゲート部３０２の開口幅ｗは例えば３４ｍｍ程度である。そのため、貫通孔３１の中心軸方向に沿ったハンドル３０の厚さｔは、２４ｍｍ以下であることが好ましい。
【産業上の利用可能性】
【０１７８】
本発明の実施形態によると、カラビナを用いた携行に好適な構造を有し、且つ、軽量化を実現できる消防用投光器を提供することができる。
【符号の説明】
【０１７９】
１：接続ケーブル、２：接続ケーブル、１０：光源部、１１：ＬＥＤ素子（光源）、１１ａ：第１ＬＥＤ素子、１１ｂ：第２ＬＥＤ素子、１２：第１レンズ部、１２ａ：第１レンズ、１３：第２レンズ部、１３ａ：第２レンズ、１４：ヒートシンク部、１４ａ：ベース部、１４ｂ：フィン、２０：筐体、２０ａ：ボックス部、２０ｂ：凸部、２１ａ：第１切り欠き部、２１ｂ：第２切り欠き部、２２：クリップ部、２２ａ：第１舌片部、２２ｂ：第２舌片部、２５：保護部材（レンズガード）、２６：三脚取付ボス、２７：支持部材、２８：ブザー、２９：ブラケット、３０：ハンドル、３０ｘ：ハンドルの軸線、３０ｆｅ：ハンドルの前端、３１：貫通孔、３１Ａ：第１貫通孔、３１Ｂ：第２貫通孔、４０：第１スイッチ（信号スイッチ）、５０：第２スイッチ（配光切換スイッチ）、６０：信号表示灯、７０：アタッチメント部材、７１：底部、７１ａ：貫通孔、７２：側壁部、７２ａ：切り欠き部、７２ｂ：突起、７３：クリップ部、７３ａ：第１舌片部、７３ｂ：第２舌片部、１００：投光器、２００：信号器、２０１：信号器本体、２０２：ハンドル、２０３：第３スイッチ（信号スイッチ）、２０４：信号表示灯、２０５：ブザー、２０６：電源ユニット、ＧＰ：筐体の側面の曲面部分（ガイド部）、ＷＣ１：第１防水区画、ＷＣ２：第２防水区画、ＷＣ３：第３防水区画、ＷＲ：筐体の幅広部、ＮＲ：筐体の幅狭部、ＳＢ：安全帯
【図１】
2020080217.tif 000003
【図２】
2020080217.tif 000004
【図３】
2020080217.tif 000005
【図４】
2020080217.tif 000006
【図５】
2020080217.tif 000007
【図６】
2020080217.tif 000008
【図７】
2020080217.tif 000009
【図８】
2020080217.tif 000010
【図９】
2020080217.tif 000011
【図１０】
2020080217.tif 000012
【図１１】
2020080217.tif 000013
【図１２】
2020080217.tif 000014
【図１３】
2020080217.tif 000015
【図１４】
2020080217.tif 000016
【図１５】
2020080217.tif 000017
【図１６】
2020080217.tif 000018
【図１７】
2020080217.tif 000019
【図１８】
2020080217.tif 000020
【図１９】
2020080217.tif 000021
【図２０】
2020080217.tif 000022
【図２１】
2020080217.tif 000023
【図２２】
2020080217.tif 000024
【図２３】
2020080217.tif 000025